(57)【要約】【課題】介在カードリーダなしで、機器へ直結するコンタクトレス及びコンタクト・インターフェースを持つデバイスを得る。【解決手段】遠隔基地局と機器との間でデータを転送するための一体型記憶デバイスは、データを記憶するように構成した不揮発性記憶デバイス、アンテナ及びプロセッサ配列を含む。アンテナは、不揮発性記憶デバイスの電源として、遠隔基地局から電気エネルギーを無線で受け取るように、また、遠隔基地局と不揮発性記憶デバイスとの間でデータを転送するように構成される。プロセッサ配列は、不揮発性記憶デバイスに作動上恒久的に接続されており、プロセッサ配列が有線の電源リンクを介して電源に電気的に接続している場合、不揮発性記憶デバイスと機器との間のデータ転送を管理するように構成される。【選択図】図１
2006221625.tif 000002
【特許請求の範囲】
【請求項１】
遠隔基地局と機器との間でデータを転送するための一体型記憶デバイスであって、（ａ）データを記憶するように構成した不揮発性記憶デバイス、（ｂ）無線で、（ｉ）前記不揮発性記憶デバイスに動力を供給するために前記遠隔基地局から電気エネルギーを受け取るように、そして（ｉｉ）前記遠隔基地局と前記不揮発性記憶デバイスとの間でデータを転送するように構成したアンテナ、そして（ｃ）前記不揮発性記憶デバイスに作動上恒久的に接続されているプロセッサ配列からなり、前記プロセッサ配列が有線の電源リンクを介して電源に電気的に接続されたときに、前記プロセッサ配列が、前記不揮発性記憶デバイスと前記機器との間のデータ転送を管理するように構成されている、一体型記憶デバイス。
【請求項２】
（ｉ）前記電源が前記機器のための電源であり、そして（ｉｉ）前記プロセッサ配列が、前記有線の電源リンクを介して、前記電源へ取り外し可能に電気的に接続されるように構成されている、請求項１の一体型記憶デバイス。
【請求項３】
前記プロセッサが、前記機器から前記プロセッサを切り離すことによって、前記電源から切り離される、請求項２の一体型記憶デバイス。
【請求項４】
前記プロセッサが、前記機器から前記電源を切り離すことによって、前記電源から切り離される、請求項２の一体型記憶デバイス。
【請求項５】
遠隔基地局とコンピュータ・システムとの間でデータを転送するための一体型記憶デバイスであって、（ａ）データを記憶するように構成した不揮発性記憶デバイス、（ｂ）無線で、（ｉ）前記不揮発性記憶デバイスに動力を供給するために、前記遠隔基地局から電気エネルギーを受け取るように、そして（ｉｉ）前記遠隔基地局と前記不揮発性記憶デバイスとの間でデータを転送するように構成したアンテナ、そして（ｃ）前記不揮発性記憶デバイスに作動上恒久的に接続されているプロセッサ配列からなり、前記プロセッサ配列がＵＳＢポートを介して前記コンピュータ・システムに電気的に接続されたときに、前記プロセッサ配列が、前記不揮発性記憶デバイスと前記コンピュータ・システムとの間のデータ転送を管理するように構成されている、一体型記憶デバイス。
【請求項６】
前記プロセッサ配列が、前記コンピュータ・システムへ取り外し可能に電気的に接続するように構成されている、請求項５の一体型記憶デバイス。
【請求項７】
プロセッサと不揮発性記憶デバイスとを持ち、前記プロセッサが前記不揮発性記憶デバイスに作動上恒久的に接続されている一体型記憶デバイスを用いて、遠隔基地局と機器との間でデータを転送するための方法であって、（ａ）前記一体型記憶デバイスによって、電気エネルギーを無線で受け取るステップ、（ｂ）前記電気エネルギーを用いて、前記不揮発性記憶デバイスに動力を供給するステップ、（ｃ）前記遠隔基地局と前記不揮発性記憶デバイスとの間で、前記データを無線で転送するステップ、（ｄ）前記一体型記憶デバイスを前記機器に電気的に接続するステップ、（ｅ）前記不揮発性記憶デバイスと前記プロセッサとの間で、前記データを転送するステップ、そして（ｆ）前記プロセッサと前記機器との間で、前記データを転送するステップからなる、方法。
【請求項８】
前記電気的に接続するステップが、前記一体型記憶デバイスを前記機器へ取り外し可能に電気的に接続することによって実行される、請求項７の方法。
【請求項９】
前記機器がコンピュータ・システムであり、前記電気的に接続するステップが、ＵＳＢポートを介して実行される、請求項８の方法。
【請求項１０】
さらに、（ｇ）前記データを用いて、前記機器を少なくとも部分的に設定するステップからなる、請求項７の方法。
【請求項１１】
さらに、（ｇ）前記一体型記憶デバイスを物理的に梱包するステップからなり、前記転送ステップが、前記梱包ステップの後に実行される、請求項１０の方法。
【請求項１２】
さらに、（ｇ）前記データを検証するステップからなり、前記不揮発性記憶デバイスと前記プロセッサとの間で前記データを転送するステップが、（ｉ）前記プロセッサから前記不揮発性記憶デバイスへデータを転送することによって実行され、そして（ｉｉ）前記検証の肯定的な結果に付随する、請求項７の方法。
【請求項１３】
前記データが個人の証明を含む、請求項７の方法。
【請求項１４】
前記データがアクセス権を含む、請求項７の方法。
【請求項１５】
前記データが記憶値を含む、請求項７の方法。
【請求項１６】
さらに、（ｇ）前記一体型記憶デバイスを操作上機器に接続するステップからなり、前記機器がカメラである、請求項７の方法。
【請求項１７】
さらに、（ｇ）前記一体型記憶デバイスを操作上機器に接続するステップからなり、前記機器が小型携帯移動電話機である、請求項７の方法。
【請求項１８】
さらに、（ｇ）前記一体型記憶デバイスを操作上機器に接続するステップからなり、前記機器がパーソナル・プロセシング・システムである、請求項７の方法。
【発明の詳細な説明】
【技術分野】
【０００１】
本発明は、記憶メディアに関し、特に、無線でアクセス可能な不揮発性記憶メディアに関する。
【背景技術】
【０００２】
前置きとして、不揮発性記憶デバイスは、多種多様なアプリケーションで広く使用されており、電源を切っても内容を保持する全ての読み書きデジタル記憶デバイスを含む。不揮発性記憶デバイスは、磁気ディスク、書換え可能型光ディスク、そしてフラッシュ・ディスクのような不揮発性ソリッドステート・デバイスを含む。応用の視点から、不揮発性記憶デバイスは、三つのグループに分類することができる。第一のグループは、記憶デバイスが、例えば小型携帯移動電話機やコンピュータ等の電子機器の常駐部品である埋め込み型記憶デバイスを含む。第二のグループは、記憶デバイスが、簡単に、例えばデジタル・カメラのメモリーカード等の電子機器へ挿入され、そして取り出される取り外し可能な記憶デバイスを含む。最後のグループは、記憶デバイスが、例えばＵＳＢフラッシュ・ディスク等の機器へ選択的に接続可能なスタンドアロン・デバイスである携帯型記憶デバイスを含む。全三つのグループにおける不揮発性記憶デバイスは、時々電源から切り離される。例えば、新しい小型携帯移動電話機は、慣習的に、そのバッテリーが切り離された状態で、箱詰めされて供給される。デジタル・カメラのフラッシュカードは、しばしば、カメラから取り出される。そして、携帯用ＵＳＢフラッシュ・ディスクは、機器のＵＳＢポートに接続されている時にだけ、エネルギーが与えられる。全てのこれらの例では、不揮発性記憶デバイスは、電源が切り離された後も、その中に記憶されたデータを維持するが、不揮発性記憶デバイスは、電源に物理的に接続していない限り、読み込みあるいは書き込みのためのアクセスを受け付けない。
【０００３】
コンタクトレス・スマートカードは、不揮発性メモリが電源に物理的に接続していない場合でも不揮発性メモリがアクセス可能である特殊なケースの例である。各コンタクトレス・スマートカードは、小さなアンテナを含み、互換基地局の近くに配置されると、カードのアンテナは、カードの回路を作動させるのに十分な電気エネルギーを受ける。同じアンテナは、また、コンタクトレス・スマートカードと基地局との間で無線通信リンクを確立するために用いられる。無線通信リンクは、基地局による、スマートカードの不揮発性メモリからの読み込みを、いくつかのモデルでは書き込みをも可能にする。この技術は、クレジットカードのようなプラスチック及びキーフォブを含み、さまざまな方法で適用されている。コンタクトレス・スマートカードの主な応用例は、大量輸送機関及び駐車場における高速識別と数値処理である。一方でエネルギー供給が非常に限られているが、他方で高速処理が要求されるため、コンタクトレス・スマートカードの書き込み可能な不揮発性メモリの量は、非常に少なく、現在の典型的なメモリ値は、ＥＥＰＲＯＭで最大４キロバイトまでである。
【０００４】
デュアルスマートカードは、コンタクトレス及びコンタクト・インターフェイスの両方を備え、これらのインターフェイスによって、スマートカードは、無線でデータを受け、そのデータを、有線リンクを介して機器へ転送する。デュアルスマートカードには、一般的に二つの欠点がある。第一に、デュアルスマートカードの不揮発性メモリは、依然として非常に小さい。第二に、デュアルスマートカードは、スマートカードと機器との間に専門カードリーダを配置した場合にのみ有線リンクを介して機器へデータを転送することが可能である。
【０００５】
したがって、現在、２種類の不揮発性メモリーがある。第一のタイプは、典型的にメガバイトからギガバイトの範囲の大きな容量のメモリである。これらのメモリは、メモリへのアクセスのために、物理的な電気的接続が必要である。第二のタイプは、最高で数キロバイトの、少量の不揮発性メモリを持つコンタクトレス・カードである。
【０００６】
大きな容量を持つ不揮発性メモリへの、不揮発性メモリが電源へ物理的に電気接続されていない場合の、データを書き込むシステム及び方法は、（本発明と共に譲渡された）タイシャーへの米国特許公報第二００４/０２３６８９９号に開示されている。米国特許公報第２００４/０２３６８９９号は、全ての目的のために、参照によって、本文に完全に記述したかのように含まれる。前記システムは、大きな容量を持つ第一の記憶メディア、無線で受け取った少量のデータを記憶するためのコンタクトレスの第二の記憶デバイス、そして、システムが有線リンクを介して機器へ接続されたときに第二の記憶デバイスから第一の記憶メディアへデータをコピーするように構成したプロセッサを含む。したがって、前記システムは、有線リンクを介しての第一の記憶メディアの電源への接続を必要とせずに、大きな容量の第一の記憶メディアへのアクセスを提供することによって、従来の技術によるシステムの欠点のうちの一つを克服する。
【０００７】
上記のように、デュアルスマートカードは、多種多様な応用のために、コンタクトレス・インターフェース及びコンタクト・インターフェースの両方を提供する。それにもかかわらず、デュアルスマートカードの主な欠点の一つは、スマートカードと機器との間に専門カードリーダを配置した場合にのみ、有線リンクを介して機器へデータを転送することが可能であるということである。
【０００８】
したがって、介在カードリーダなしで、機器へ直結するコンタクトレス及びコンタクト・インターフェースを持つデバイスの必要性が認められる。
【発明の開示】
【課題を解決するための手段】
【０００９】
本発明は、一体型記憶デバイスの構成と、その操作方法に関する。
【００１０】
本発明によれば、次のものからなる、遠隔基地局と機器との間でデータを転送するための一体型記憶デバイスが提供される。（ａ）データを記憶するように構成した不揮発性記憶デバイス。（ｂ）無線で、（ｉ）不揮発性記憶デバイスに動力を供給するために、遠隔基地局から電気エネルギーを受け取るように、そして（ｉｉ）遠隔基地局と不揮発性記憶デバイスとの間でデータを転送するように構成したアンテナ。そして（ｃ）不揮発性記憶デバイスに作動上恒久的に接続されたプロセッサ配列。プロセッサ配列は、プロセッサ配列が有線の電源リンクを介して電源に電気的に接続しているときに、不揮発性記憶デバイスと機器との間のデータ転送を管理するように構成される。
【００１１】
さらに、本発明の特徴によれば、（ｉ）電源は、機器のための電源である。そして（ｉｉ）プロセッサ配列は、有線の電源リンクを介して、電源に取り外し可能に電気的に接続されるように構成される。
【００１２】
さらに、本発明の特徴によれば、プロセッサは、機器からプロセッサを切り離すことによって、電源から切り離される。
【００１３】
さらに、本発明の特徴によれば、プロセッサは、機器から電源を切り離すことによって、電源から切り離される。
【００１４】
本発明によれば、また、遠隔基地局とコンピュータ・システムとの間でデータを転送するための、次のものからなる一体型記憶デバイスが提供される。（ａ）データを記憶するように構成した不揮発性記憶デバイス。（ｂ）無線で、（ｉ）不揮発性記憶デバイスに動力を供給するために、遠隔基地局から電気エネルギーを受け取るように、そして（ｉｉ）遠隔基地局と不揮発性記憶デバイスとの間でデータを転送するように構成したアンテナ。そして（ｃ）不揮発性記憶デバイスに作動上恒久的に接続したプロセッサ配列。プロセッサ配列は、プロセッサ配列がＵＳＢポートを介してコンピュータ・システムに電気的に接続しているときに、不揮発性記憶デバイスとコンピュータ・システムとの間のデータ転送を管理するように構成される。
【００１５】
さらに、本発明の特徴によれば、プロセッサ配列は、コンピュータ・システムへ取り外し可能に電気的に接続されるように構成される。
【００１６】
本発明によれば、また、不揮発性記憶デバイスと、不揮発性記憶デバイスに作動上恒久的に接続されたプロセッサとを持つ一体型記憶デバイスを用いて、遠隔基地局と機器との間でデータを転送するための、次のステップからなる方法が提供される。（ａ）一体型記憶デバイスによって電気エネルギーを無線で受け取るステップ。（ｂ）電気エネルギーを用いて不揮発性記憶デバイスに動力を供給するステップ。（ｃ）遠隔基地局と不揮発性記憶デバイスとの間でデータを無線で転送するステップ。（ｄ）一体型記憶デバイスを機器へ電気的に接続するステップ。（ｅ）不揮発性記憶デバイスとプロセッサとの間でデータを転送するステップ。そして（ｆ）プロセッサと機器との間でデータを転送するステップ。
【００１７】
さらに、本発明の特徴によれば、電気的に接続するステップは、一体型記憶デバイスを機器へ取り外し可能に電気的に接続することによって実行される。
【００１８】
さらに、本発明の特徴によれば、機器はコンピュータ・システムであり、電気的に接続するステップは、ＵＳＢポートを介して実行される。
【００１９】
さらに、本発明の特徴によれば、また、データを用いて、機器を少なくとも部分的に設定するステップが提供される。
【００２０】
さらに、本発明の特徴によれば、また、一体型記憶デバイスを物理的に梱包するステップが提供され、転送ステップは、梱包ステップの後に実行される。
【００２１】
さらに、本発明の特徴によれば、また、データを検証するステップが提供され、不揮発性記憶デバイスとプロセッサとの間でデータを転送するステップは、（ｉ）プロセッサから不揮発性記憶デバイスへデータを転送することによって実行され、そして（ｉｉ）検証の肯定的な結果に付随する。
【００２２】
さらに、本発明の特徴によれば、データは個人の証明を含む。
【００２３】
さらに、本発明の特徴によれば、データはアクセス権を含む。
【００２４】
さらに、本発明の特徴によれば、データは記憶値を含む。
【００２５】
さらに、本発明の特徴によれば、また、一体型記憶デバイスを操作上機器に接続するステップが提供され、機器はカメラである。
【００２６】
さらに、本発明の特徴によれば、また、一体型記憶デバイスを操作上機器に接続するステップが提供され、機器は小型携帯移動電話機である。
【００２７】
さらに、本発明の特徴によれば、また、一体型記憶デバイスを操作上機器に接続するステップが提供され、機器はパーソナル・プロセシング・システムである。
【発明を実施するための最良の形態】
【００２８】
本発明は、一体型記憶デバイスの構成と、その作動方法に関する。
【００２９】
本発明による一体型記憶デバイスの原理及び作用は、図面及び添付の説明文を参照することによって、よりよく理解することができる。
【００３０】
さて、図１を参照する。これは、本発明の好適実施例に従って構成されて作動可能な、一体型記憶デバイス５０の、高レベルな概略ブロック図である。一体型記憶デバイス５０は、遠隔コンタクトレス基地局１３０から、または機器１１０から、無線で受け取ったデータを記憶するように構成されている。また、機器１１０またはコンタクトレス基地局１３０へ記憶データを転送するようにも構成される。一体型記憶デバイス５０は、第一の記憶メディア１０１を含む。第一の記憶メディア１０１は、電源に電気的に接続している場合にのみ、書き込みあるいは読み込みのアクセスが可能である。ここに「電気的に接続した」は、非無線リンクを用いて接続している、と定義する。第一の記憶メディア１０１は、例えば磁気ディスクまたはフラッシュメモリ等の不揮発性記憶メディアである。第一の記憶メディア１０１は、通常メガバイトからギガバイトの範囲の、比較的に大きなデータ量を記憶するように構成される。第一の記憶メディア１０１の内容は、ユーザファイル、そして例えば、デバイス識別子、デバイス設定パラメータ及びセキュリティー機能等のシステムデータを含んでもよい。本技術における熟練者には、第一の記憶メディア１０１の全部または一部が、既知のスマートカードの技術によって、物理的に、電気的に、そして論理的に、改ざんから保護できることは明らかである。
【００３１】
一体型記憶デバイス５０は、第一の記憶メディア１０１へのアクセスをコントロールして管理するプロセッサ配列１００を含む。第一の記憶メディア１０１がフラッシュメモリである場合、プロセッサ配列１００は、また、損耗レベリング、エラー訂正及びセキュリティー機能を管理するように構成されてもよい。一体型記憶デバイス５０は、また、有線のデータ・リンク１２０を介する機器１１０のプロセッサ１１１とのデータ交換を管理するデータ・インターフェイス１０２を含み、さらに、有線の電力リンク１２１を介して機器１１０の電源１１２から、プロセッサ配列１００及び第一の記憶メディア１０１を作動させるための電気エネルギーを受ける電気的インターフェイス１０３を含む。データ・リンク１２０及び電力リンク１２１は、（一体型記憶デバイス５０と機器１１０とを恒久的に接続した）恒久的なもの、あるいは（一体型記憶デバイス５０と機器１１０とを取り外し可能に接続した）一時的なものである。注目すべきことは、一体型記憶デバイス５０（ゆえに、一体型記憶デバイス５０のプロセッサ配列１００）は、通常、電源１１２へ取り外し可能に電気的に接続することである。プロセッサ配列１００は、機器１１０から一体型記憶デバイス５０を切り離すことによって、あるいは機器１１０から電源１１２を切り離すことによって、電源１１２から切り離される。第一の例として、一体型記憶デバイス５０が機器１１０のメモリである場合、例えば機器１１０が小型携帯移動電話機である場合、データ・リンク１２０及び電源リンク１２１は、通常、恒久的なものである。したがって、一体型記憶デバイス５０は、機器１１０からバッテリーを取り外すことによって、電源１１２から切り離される。第二の例として、一体型記憶デバイス５０が機器１１０に接続可能なＵＳＢポータブル記憶デバイスである場合、例えば機器１１０がパソコンである場合、データ・リンク１２０及び電源リンク１２１は一時的なものである。注目すべきことは、データ・リンク１２０及び電源リンク１２１は、通常、一体型記憶デバイス５０と機器１１０とのＵＳＢポート間を接続する、例えばＵＳＢコネクタ等の一つの物理的なコネクタを用いて実現される。ここに機器１１０は、例えば、パソコン、小型携帯移動電話機、デジタル・カメラ、ＰＤＡまたは音楽プレーヤー等の、デジタル記録を利用する電子デバイスを含むものと定義する。一体型記憶デバイス５０は、また、第二の記憶デバイス１０５及びアンテナ１０６を含む。コンタクトレス基地局１３０は、アンテナ１３１及びプロセッサ１３２を持つ。コンタクトレス基地局１３０は、コンタクトレスのリーダ/ライタである。同業者には、コンタクトレス基地局１３０が、既知のコンタクトレス・スマートカード及び受動無線周波数識別（ＲＦＩＤ）の応用技術を用いて構成できることは明らかである。アンテナ１０６及びアンテナ１３１は、電磁リンク１２２を形成する。アンテナ１３１は、アンテナ１０６を介して第二の記憶デバイス１０５にエネルギーを与えるばかりではなく、アンテナ１０６を介して第二の記憶デバイス１０５とのデータ交換を可能にする。アンテナ１０６とアンテナ１３１との間の典型的作動距離は、数センチメートルから１メ��トルの範囲内にある。アンテナ１０６は、第二の記憶デバイス１０５の電源としてコンタクトレス基地局１３０のアンテナ１３１から電気エネルギーを受け取るように構成されるため、第二の記憶デバイス１０５は、例えば、データを記憶するためのアクセスが可能である。したがって、第二の記憶デバイス１０５は、電源１１２から電気的に切り離されている場合でも、データを記憶するためのアクセスが可能である。しかし、当業者には、第二の記憶デバイス１０５は、電源１１２に電気的に接続されている場合も、依然、アクセスが可能であることは明らかである。さらに、アンテナ１０６は、コンタクトレス基地局１３０のプロセッサ１３２から、無線でデータを受信するように形成される。同様に、データは、第二の記憶デバイス１０５からプロセッサ１３２へ、電磁リンク１２２を介して送信される。したがって、電磁リンク１２２は、アンテナ１０６とアンテナ１３１とを結合させ、第二の記憶デバイス１０５へ電気エネルギーを提供すると共に、プロセッサ１３２と第二の記憶デバイス１０５との間のデータ転送を可能にする。ここに用語「データを転送する」は、第一のエレメントと第二のエレメントとの間で両方向にデータを転送することを含むと定義する。言い換えると、データを第一のエレメントから第二のエレメントへ転送すること、そしてデータを第二のエレメントから第一のエレメントへ転送することである。しかし、例えば、プロセッサ１３２から第二の記憶デバイス１０５へ、そして／または第二の記憶デバイス１０５からプロセッサ１３２へデータを転送することに限らない。第二の記憶デバイス１０５は、通常、小さな不揮発性メモリ及びコントローラ（図示せず）を含む。同業者には、第二の記憶デバイス１０５及びアンテナ１０６が、既知のコンタクトレス・スマートカードの技術を用いて構成できることは明らかである。第二の記憶デバイス１０５のメモリは、第一の記憶メディア１０１から物理的に分離した、あるいはそれに統合化した低電力のＥＥＰＲＯＭであることが好ましい。本発明の最好適実施例によれば、第二の記憶デバイス１０５は、例えばコンタクトレス識別、認証及び支払い等の、第二の記憶デバイス１０５のコントローラが実行する非記憶機能を含む。これらの非記憶機能は、コンタクトレス・スマートカードの技術において既知である。
【００３２】
第一の記憶メディア１０１の機能、そして一体型記憶デバイス５０の他の要素との第一の記憶メディア１０１の相互作用については、米国特許公報第２００４/０２３６８９９号を参照して議論する。
【００３３】
プロセッサ配列１００は、電源リンク１２１を介して電源１１２に電気的に接続している場合に、第一の記憶メディア１０１を用いることなく、第二の記憶デバイス１０５と機器１１０との間で直接的に実行されるデータ転送を管理するように構成される。同業者には、コンタクトレス基地局１３０と機器１１０との間で一体型記憶デバイス５０の第二の記憶デバイス１０５を介してデータ転送を実行するためにのみ一体型記憶デバイス５０を使用する場合、第一の記憶メディア１０１は必要でないことは明らかである。一体型記憶デバイス５０はハウジング５５を含み、第一の記憶メディア１０１、第二の記憶デバイス１０５及びプロセッサ配列１００は、ハウジング５５内に配置されている。第一の記憶メディア１０１、第二の記憶デバイス１０５及びプロセッサ配列１００が、作動上恒久的に接続されているため、第一の記憶メディア１０１、第二の記憶デバイス１０５及びプロセッサ配列１００の間の結線は、一体型記憶デバイス５０の通常の使用中に逆になることはない。例えば、第一の記憶メディア１０１、第二の記憶デバイス１０５及びプロセッサ配列１００は、工具を用いることなく、好都合に相互から切り離すことはできない。
【００３４】
さて、一体型記憶デバイス５０の種々の使用例を示す図２ａから図２ｄを参照する。まず、図２ａを参照する。これは、コンタクトレス基地局１３０に無線接続した一体型記憶デバイス５０の概略図である。一体型記憶デバイス５０はコンタクトレス基地局１３０の近くにあり、一体型記憶デバイス５０とコンタクトレス基地局１３０とは、電磁結合して、第二の記憶デバイス１０５（図１）とコンタクトレス基地局１３０との間でのデータ転送を可能にしている。
【００３５】
さて、図２ｂを参照する。これは、機器１１０に電気的に接続した一体型記憶デバイス５０の概略図である。機器１１０の電源１１２（図１）が、プロセッサ配列１００（図１）と第二の記憶デバイス１０５とにエネルギーを与え、第二の記憶デバイス１０５（図１）と機器１１０との間でのデータ転送を可能にしている。同業者には、プロセッサ配列１１１と第二の記憶デバイス１０５との間の他のトランザクションも可能であることは明らかである。それらの他のトランザクションは、従来通りであり、ここに詳述する必要はない。さて、図２ｃを参照する。これは、他のどのデバイスまたは機器にも接続していない一体型記憶デバイス５０の概略図である。この場合、一体型記憶デバイス５０は他のデバイスから切り離されている。したがって、第二の記憶デバイス１０５（図１）内の記憶データは、読み込みも、変更もできない。
【００３６】
さて、図２ｄを参照する。これは、コンタクトレス基地局１３０に無線接続した一体型記憶デバイス５０の概略図である。この場合、一体型記憶デバイス５０は機器１１０にも電気的に接続している。しかし、機器１１０の電源１１２は、切り離されている、あるいは作動してはいない。したがって、機器１１０と一体型記憶デバイス５０との間の結線は作用しない。したがって、この  図の例は、図２ａの場合と機能的に同一である。この図に示すケースの現実的な例は、箱の中に梱包されたままの、バッテリーが携帯電話から切り離されている新しい小型携帯移動電話機である。この場合、本発明は、開梱することなく、携帯電話の一体型記憶デバイスの第二の記憶デバイス内で、例えばオペレーター・アイデンティティ、ユーザ名、電話番号及び他の証明等の、若干のパラメータを更新することを可能にする。そして後に開梱し、携帯電話へバッテリーを接続したときに、必要に応じて、一体型記憶デバイスのプロセッサは、携帯電話のプロセッサへ転送すべき設定データを読み込む。
【００３７】
さて、一体型記憶デバイス５０の作用を示す図３から図６を参照する。図３及び図４は、第二の記憶デバイス１０５を介する、コンタクトレス基地局１３０から機器１１０へのデータ転送を示す。  図５及び図６は、第二の記憶デバイス１０５を介する、機器１１０からコンタクトレス基地局１３０へのデータ転送を示す。
【００３８】
さて、図３を参照する。これは、コンタクトレス基地局１３０から、図１に示す一体型記憶デバイス５０の第二の記憶デバイス１０５へデータを転送するための方法のステップを示すフローチャートである。また、図１をも参照する。第一に、コンタクトレス基地局１３０によって、第二の記憶デバイス１０５へデータを書き込む決定がなされる（ブロック２０１）。第二に、一体型記憶デバイス５０をコンタクトレス基地局１３０の近くへ運び、アンテナ１０６とアンテナ１３１との間の電磁結合を可能にさせることによって、アンテナ１０６を介して電気エネルギーを受け取る（ブロック２０２）。一体型記憶デバイス５０が非金属製の箱の中に梱包されているのであれば、電磁結合はそのような梱包を透過するため、箱から取り出す必要はない。第三に、アンテナ１０６を介して受け取った電気エネルギーを用いて第二の記憶デバイス１０５を作動させる（ブロック２０３）。第四に、一体型記憶デバイス５０は、アンテナ１０６を介して、コンタクトレス基地局１３０のプロセッサ１３２からデータを受け取る。それから、データ・パッケージを第二の記憶デバイス１０５へ書き込む（ブロック２０４）。この時点では、第二の記憶デバイス１０５は、通常、アンテナ１０６を介してコンタクトレス基地局１３０から受け取った電気エネルギーのみによって作動する。最後に、コンタクトレス基地局１３０の近くから一体型記憶デバイス５０を遠ざけて、それら二つのデバイス間の通信を不能にする（ブロック２０５）。
【００３９】
さて、図４を参照する。これは、機器１１０による読み取りのために、一体型記憶デバイス５０の第二の記憶デバイス１０５からデータを転送するための方法のステップを示すフローチャートである（ブロック２１８）。また、図１をも参照する。最初に、一体型記憶デバイス５０は、一体型記憶デバイス５０が機器１１０から切り離されている、または電源１１２が機器１１０から切り離されているため、エネルギーを与えられていない（ブロック２２０の「Ｎ」枝）。第一に、一体型記憶デバイス５０と機器１１０との結線状態を調べる（ブロック２２１）。第一の例として、一体型記憶デバイス５０と機器１１０とは、機器１１０が小型携帯移動電話機である場合、通常、このステップ以前に作動上接続されている。第二の例として、一体型記憶デバイス５０と機器１１０とは、機器１１０がカメラまたはパーソナル・プロセシング・システムである場合、時々、このステップ以前に操作上切り離されている。パーソナル・プロセシング・システムは、例えば、パーソナル・コンピュータ・システムまたはパーソナル・デジタル・アシスタント（ＰＤＡ）等の、キーボードとディスプレイ装置とを持つユーザ・インターフェイスを備えたプロセッサと定義する。一体型記憶デバイス５０と機器１１０とが接続していない場合、一体型記憶デバイス５０は、通常、機器１１０へ操作上取り外し可能に接続される（ブロック２２２）。機器１１０と電源１１２とが接続していない場合は、機器１１０を電源１１２へ接続する（ブロック２２４）。一体型記憶デバイス５０、機器１１０及び電源１１２のすべてが相互から切り離されているケースは、稀であるため、説明を省く。しかし、同業者には、そのような場合は、ブロック２２２のステップとブロック２２４のステップとを実行することによって、一体型記憶デバイス５０、機器１１０及び電源１１２を接続できることは明らかである。ブロック２２２及び２２４のステップは、電源リンク１２１を介して一体型記憶デバイス５０と電源１１２とを電気的に接続することによって、プロセッサ配列１００と第二の記憶デバイス１０５とにエネルギーを与える（ブロック２２５）。次に、プロセッサ配列１００は、第二の記憶デバイス１０５に以前に書き込まれたデータを読み込む（ブロック２２６）。プロセッサ配列１００は、データ・リンク１２０を介して、機器１１０へデータを書き込む（ブロック２２７）。プロセッサ配列１００がデータ転送を管理するため、一体型記憶デバイス５０と機器１１０との間に、特別なカード・インターフェイスは不要である。最後に、オプションのステップでは、一体型記憶デバイス５０を機器１１０から切り離す。しかし、一体型記憶デバイス５０と機器１１０とは、プロセッサ１１１と第二の記憶デバイス１０５との間でトランザクションを継続させるために、作動上接続させたままでもよい。
【００４０】
図３及び図４の方法の応用例を以下に記す。
【００４１】
本発明は、イン・ボックス設定に適用できる。しばしば、記憶デバイスまたはデジタル機器は、工場からの出荷後、デバイスまたは機器のエンドユーザによる使用開始前に、カスタマイズ及びパーソナライズが必要になる。本発明は、以下の通りに適用できる。第一に、一体型記憶デバイス５０を、恐らく機器１１０と共に箱の中に梱包する。第二に、箱の外に存在するコンタクトレス基地局１３０から、設定データ・セットを含むデータ・パッケージを送信する。データ・パッケージをアンテナ１０６で受け取る。それから、第二の記憶デバイス１０５内にデータ・パッケージを書き込み記憶する。ユーザが一体型記憶デバイス５０を箱から出して電源に電気的に接続すると、機器１１０がプロセッサ配列１００を介して、第二の記憶デバイス１０５からデータ・パッケージを読み込むため、機器１１０は、設定データ・セットを用いて設定できる。
【００４２】
第一の例として、会社は、その従業員の各々に個人用ポータブル記憶デバイス、すなわち一体型記憶デバイス５０を提供する。各一体型記憶デバイス５０は、依然その箱の中にある間に、会社名、ウェブサイト・アドレス、従業員名、アクセス・パスワード及び特別な証明で設定できる。これら全ての設定詳細は、本発明を適用することによって、箱を開けることなく、一体型記憶デバイス５０の第二の記憶デバイス１０５へ書き込むことができる。機器１１０、通常パソコンは、従業員が一体型記憶デバイス５０を機器１１０へ挿入すると、必要に応じて一体型記憶デバイス５０から設定データを読み込む。第二の例として、機器１１０は、小型携帯移動電話機であり、その箱を開けることなく、第二の記憶デバイス１０５上へ記録したオペレータ及びユーザの証明から、オペレータのオフィスで設定できる。機器１１０は、通常、バッテリーである電源１１２を携帯電話へ接続したときに、必要に応じて第二の記憶デバイス１０５から設定データを読み込む。イン・ボックス設定は、本来のパッケージ内に封入された新しいデバイスを受け取るのを好むエンドユーザにとっては有り難い。さらに、イン・ボックス設定は、各々の箱も開けてデバイスを物理的に接続するのに比べ、実行するのにより効率的で経済的である。
【００４３】
図３及び図４を参照して説明したものと同様な方法では、一体型記憶デバイス５０の第二の記憶デバイス１０５を介して、機器１１０からコンタクトレス基地局１３０へデータが転送される。これを、図５及び図６を参照して以下に説明する。
【００４４】
さて、図５を参照する。これは、機器１１０から、図１に示す一体型記憶デバイス５０の第二の記憶デバイス１０５へデータを転送するための方法のステップを示すフローチャートである。また、図１をも参照する。第一に、機器１１０が第二の記憶デバイス１０５へデータを書き込むという決定がなされる（ブロック３１８）。ブロック３２０から３２５のステップは、図４を参照して説明したブロック２２０から２２５のステップと実質的に同じである。したがって、ブロック３２０から３２５のステップについては、さらにここで説明はしない。次に、データ・リンク１２０を介して、機器１１０からプロセッサ配列１００へデータを転送する（ブロック３２６）。感知可能なデータの場合には、データを、プロセッサ配列１００によって、または第二の記憶デバイス１０５のコントローラによって検証する（ブロック３２７）。プロセッサ配列１００から第二の記憶デバイス１０５へデータを転送する次のステップは、データの検証の肯定的な結果に付随する。一旦データが肯定的に検証されると、プロセッサ配列１００は、データを第二の記憶デバイス１０５へ転送する（ブロック３２８）。プロセッサ配列１００はデータ転送を管理するため、一体型記憶デバイス５０と機器１１０との間に特別なカード・インターフェイスは不要である。
【００４５】
さて、図６を参照する。これは、図１に示す一体型記憶デバイス５０の第二の記憶デバイス１０５から、コンタクトレス基地局１３０へデータを転送するための方法のステップを示すフローチャートである（ブロック４０１）。また、図１をも参照する。ブロック４０２及び４０３のステップは、図４を参照して説明したブロック２０２及び２０３のステップと実質的に同じである。したがって、ブロック４０２及び４０３のステップについては、さらにここで説明はしない。次に、電磁リンク１２２を介して、第二の記憶デバイス１０５からコンタクトレス基地局１３０へ、データを無線で転送する（ブロック４０４）。最後に、一体型記憶デバイス５０をコンタクトレス基地局１３０の付近から遠ざける。
【００４６】
図５及び図６に示す方法の応用例を以下に説明する。一体型記憶デバイス５０は、ユーザ証明を記録する、アクセス権を記録する、あるいは支払いのための記憶値を記録する（別の言葉で、電子マネーを再充填する）ことによってカスタマイズする。これら三つの応用を、さらに詳細に説明する。機器１１０が、パソコン等のパーソナル・プロセシング・システムである場合、一体型記憶デバイス５０は、ＵＳＢ結線を介して機器１１０に接続している。機器１１０がインターネットから個人の証明、アクセス権または記憶値をダウンロードし、それを一体型記憶デバイス５０の第二の記憶デバイス１０５へ転送する。転送された個人の証明、アクセス権または記憶値は、各々、一体型記憶デバイス５０の機能をカスタマイズする、パーソナライズする、あるいは補充する。オプションとして、プロセッサ１１１、プロセッサ配列１００及び第二の記憶デバイス１０５のコントローラの組み合わせ、そしてユーザからのＰＩＮの受領を含む認証プロセスを含んでもよい。それから、受信した個人の証明、アクセス権または記憶値を、各トランザクションのためにコンタクトレス基地局１３０と一体型記憶デバイス５０との間での、無線での使用準備が整った第二の記憶デバイス１０５へ記録する。
【００４７】
本技術における熟練者には、本発明が、上記の説明に限らないことは明らかである。むしろ、本発明の範囲は、先に説明した種々の特徴の組み合わせと部分組み合わせの両方、そして前述の説明を読む本技術の熟達者の心に浮かぶ、従来の技術にないバリエーション及び変更を含む。
【図面の簡単な説明】
【００４８】
本発明を、次の添付図面を参照しながら実施例によって説明する。
【図１】本発明の好適実施例に従って構成されて作動可能な、一体型記憶デバイスの概略図である。
【図２Ａ】コンタクトレス基地局に無線接続した、図１に示す一体型記憶デバイスの概略図である。
【図２Ｂ】機器に電気的に接続した、図１に示す一体型記憶デバイスのハイレベルなブロック図である。
【図２Ｃ】他のどのデバイスまたは機器にも接続していない、図１に示す一体型記憶デバイスの概略図である。
【図２Ｄ】遠隔コンタクトレス基地局に無線接続した、図１に示す一体型記憶デバイスの概略図である。一体型記憶デバイスは機器にも電気的に接続しているが、機器は電源に接続されていない。
【図３】コンタクトレス基地局から、図１に示す一体型記憶デバイスの第二の記憶デバイスへ、データを転送する方法のステップを示すフローチャートである。
【図４】図１に示す一体型記憶デバイスから機器へ、データを転送する方法のステップを示すフローチャートである。
【図５】機器から、図１に示す一体型記憶デバイスへデータを転送する方法のステップを示すフローチャートである。
【図６】図１の一体型記憶デバイスからコンタクトレス基地局へ、データを転送する方法のステップを示すフローチャートである。
【図１】
2006221625.tif 000003
【図２Ａ】
2006221625.tif 000004
【図２Ｂ】
2006221625.tif 000005
【図２Ｃ】
2006221625.tif 000006
【図２Ｄ】
2006221625.tif 000007
【図３】
2006221625.tif 000008
【図４】
2006221625.tif 000009
【図５】
2006221625.tif 000010
【図６】
2006221625.tif 000011